(57)【要約】      （修正有）【課題】木の特性を生かし、かつ、取り扱いが容易で、木の移り香も防止することができる容器を提供する。【解決手段】容器１０は、ガラスよりなる内容器１１と、この内容器１１の外側を覆うように配設された木材よりなる外容器１２とを備えている。これにより、木の外観を得ることができると共に、飲食物に木の香りが移ることを防止することができる。また、木の高い断熱性により、熱い飲食物を入れても、安全に持つことができると共に、高い保温性により、熱い飲食物又は冷たい飲食物を熱い状態又は冷たい状態で長時間保持することができる。【選択図】図１
0003198336.tif 000002
【実用新案登録請求の範囲】
【請求項１】
ガラス、陶器、又は磁器よりなる内容器と、  この内容器の外側を覆うように配設された木材よりなる外容器と  を備えたことを特徴とする容器。
【請求項２】
前記外容器は、針葉樹よりなることを特徴とする請求項１記載の容器。
【請求項３】
前記外容器は、乾燥することにより、内容器に固着して配設されたことを特徴とする請求項１又は請求項２記載の容器。
【請求項４】
前記内容器及び前記外容器は、中空状の側部を有し、この側部の下端部は底部により閉鎖され、上端部は開口されており、前記上端部は前記下端部よりも大きく、前記側部は、前記下端部から前記上端部に向かい外側に傾斜していることを特徴とする請求項３記載の容器。
【請求項５】
ガラス、陶器、又は磁器よりなる内容器と、この内容器の外側を覆うように配設された木材よりなる外容器とを備えた容器を製造する方法であって、  木の角材を切削して外容器を作製する工程中又は工程後に、外容器の含水率が低下して安定する前に、外容器の中に内容器を挿入し、外容器と内容器を固着させることを特徴とする容器の製造方法。
【考案の詳細な説明】
【技術分野】
【０００１】  本発明は、飲料や食料を入れるのに適した容器に関する。
【背景技術】
【０００２】  飲料や食料を入れる容器としては、例えば、陶磁器、ガラス、プラスチック、金属、又は木材からなるものが用いられている。中でも、木製の容器は、手触り及び見た目が温かく、和の雰囲気も味わうことができるという特性を有している。
【先行技術文献】
【特許文献】
【０００３】
【特許文献１】特開２００２−１０５４４９号公報
【考案の概要】
【考案が解決しようとする課題】
【０００４】  しかしながら、木製の容器の場合、木の香りが飲食品に移りやすいこと、また、熱いものを入れると、漆やウレタン塗装等の塗装具が鼻につくことで人によっては嫌う場合もあった。また、木製の容器は、飲食物の汚れが付着した場合に取りにくいという問題もあった。そこで、木の特性を生かし、かつ、取り扱いが容易で、木の移り香も防止することができる容器が求められていた。【０００５】  なお、特許文献１には、木材と他の材料とを組み合わせた容器が記載されているが、周壁部を木材で構成し、底板部をガラスにより構成したものであり、本願発明とは目的及び構成が全く異なっている。【０００６】  本発明は、このような問題に基づきなされたものであり、木の特性を生かし、かつ、取り扱いが容易で、木の移り香も防止することができる容器を提供することを目的とする。
【課題を解決するための手段】
【０００７】  本発明の容器は、ガラス、陶器、又は磁器よりなる内容器と、この内容器の外側を覆うように配設された木材よりなる外容器とを備えたものである。【０００８】  本発明の容器の製造方法は、ガラス、陶器、又は磁器よりなる内容器と、この内容器の外側を覆うように配設された木材よりなる外容器とを備えた容器を製造するものであって、木の角材を切削して外容器を作製する工程中又は工程後に、外容器の含水率が低下して安定する前に、外容器の中に内容器を挿入し、外容器と内容器を固着させるものである。
【考案の効果】
【０００９】  本発明の容器によれば、ガラス、陶器、又は磁器よりなる内容器の外側に木材よりなる外容器を備えるようにしたので、木の外観を得ることができると共に、飲食物に木の香りが移ることを防止することができる。また、木は高い断熱性を有しているので、熱い飲食物を入れても、安全に持つことができると共に、高い保温性も有しているので、熱い飲食物又は冷たい飲食物を熱い状態又は冷たい状態で長時間保持することができる。更に、内側はガラス、陶器、又は磁器なので、飲食物等の汚れが付着しても取りやすく、取り扱いが容易で、かつ、プラスチックや金属のように臭いがないので、飲食物に臭いがつかない。加えて、ガラス、陶器、又は磁器は見た目も美しく、口触りも良くすることができる。更にまた、内容器の外側を外容器で覆うので、内容器が割れることを防止することができ、安全で安心して使用することができる。【００１０】  特に、外側容器を針葉樹により構成するようにすれば、空隙率が大きいので、断熱性および保温性をより高めることができる。【００１１】  また、外容器を乾燥させることにより内容器に固着させるようにすれば、接着剤等を使用する必要がなく、接着剤等の臭いが飲食物につくことを防止することができる。【００１２】  更に、側部を下端部から上端部に向かい外側に傾斜させるようにすれば、乾燥により外容器を内容器により強固に固着させることができる。【００１３】  本発明の容器の製造方法によれば、木の角材を切削して外容器を作製する工程中又は工程後に、外容器の含水率が低下して安定する前に、外容器の中に内容器を挿入し、外容器と内容器を固着させるようにしたので、接着剤等を用いることなく、外容器と内容器とを容易に固着させることができる。
【図面の簡単な説明】
【００１４】
【図１】本発明の一実施の形態に係る容器の構成を表す断面図である。
【図２】本発明の変形例を表す断面図である。
【図３】本発明の他の変形例を表す断面図である。
【考案を実施するための形態】
【００１５】  以下、本発明の実施の形態について、図面を参照して詳細に説明する。
【００１６】  図１は本発明の一実施の形態に係る容器１０の断面構成を表すものである。この容器１０は、ガラス、陶器、又は磁器よりなる内容器１１と、この内容器１１の外側を覆うように配設された木材よりなる外容器１２とを備えている。内容器１１は、例えば、中空状の側部１１Ａを有し、側部１１Ａの下端部１１Ｂは底部１１Ｃにより閉鎖され、上端部１１Ｄは開口されている。外容器１２も、内容器１１と同様に、例えば、中空状の側部１２Ａを有し、側部１２Ａの下端部１２Ｂは底部１２Ｃにより閉鎖され、上端部１２Ｄは開口されている。側部１１Ａ，１２Ａの長さ方向に対して垂直な断面は、円形でも、楕円形でも、多角形でもよい。
【００１７】  これにより、この容器１０によれば、木の外観を得ることができると共に、飲食物に木の香りが移ることを防止することができるようになっている。また、木の高い断熱性により、熱い飲食物を入れても、安全に持つことができると共に、高い保温性により、熱い飲食物又は冷たい飲食物を熱い状態又は冷たい状態で長時間保持することができるようにもなっている。更に、内側はガラス、陶器、又は磁器なので、飲食物等の汚れが付着しても取りやすく、かつ、プラスチックや金属のように臭いがないので、飲食物に臭いがつかず、加えて、見た目が美しく、口触りも良くすることができるようになっている。更にまた、内容器１１の外側を外容器１２で覆うことにより、内容器１１が割れることを防止することもできるようになっている。
【００１８】  外容器１２は、内容器１１の外側の略全体を覆っていることが好ましい。内容器１１の上端部１１Ｄは、外容器１２の上端部１２Ｄよりも上方に突出し、外容器１２により覆われていなくてもよいが、外容器１２により上端部１１Ｄまで覆われていた方が好ましい。熱いものを入れても、安全に上端部１２Ｄに口をつけて飲食することができるからである。
【００１９】  内容器１１をガラスにより構成する場合には、例えば、耐熱ガラスが好ましい。熱いものを入れることができるからである。外容器１２を構成する木材は、例えば、針葉樹が好ましい。空隙率が大きいので、断熱性および保温性をより高めることができるからである。
【００２０】  内容器１１と外容器１２とは、着脱可能とされていてもよく、また、固着されていてもよい。着脱可能とされていれば、例えば、飲食物が付着した内容器１１を外容器１２から取り外して洗うことができるので、取り扱いが便利となり好ましい。また、固着されていれば、取り扱い時に、外容器１２から内容器１１が取れることがないので、安全に取り扱うことができるので好ましい。すなわち、用途に応じて選択することが好ましい。
【００２１】  内容器１１と外容器１２とを固着する場合には、例えば、内容器１１の側部１１Ａの外周面に外容器１２の側部１２Ａの内周面を密着させることにより固着することが好ましい。密着させる方法としては、例えば、内容器１１の外周面の大きさと、外容器１２の内周面の大きさとを対応させて形成し、外容器１２の中に内容器１１を挿入して、外容器１２を乾燥させることにより、外容器１２が収縮することを利用して密着させることが好ましい。接着剤等を使用する必要がなく、接着剤等の臭いが飲食物につくことを防止することができるからである。
【００２２】  具体的には、まず、例えば、木の角材の含水率が１０％よりも低下するまで乾燥させたのち、空気中において常温で放置する。放置により、角材の含水率は乾燥後よりも少し高くなり、時間と共に１２％〜１３％程度となる。次いで、放置した角材を切削し、必要に応じて割れ止め塗装を行い、外容器１２を作製する。この切削作業から、ろくろで引き物作業もしくは旋盤加工をすることにより厚さが薄くなると、木の含水率は徐々に低下し、最終的に、外容器１２の含水率は切削前の角材の含水率よりも数％程度低下する。よって、外容器１２の含水率が低下して安定する前に、例えば、切削あるいは塗装の工程中に、又は、切削あるいは塗装を行った後あまり時間を開けずに、外容器１２の中に内容器１１を挿入する。外容器１２の中に内容器１１を挿入すると、わずかながら外容器１２は広がり、その後放置することにより、自然と外容器１２の含水率が低下して、外容器１２が収縮してしまり、内容器１１と固着する。
【００２３】  また、内容器１１と外容器１２とを固着する場合には、内容器１１の側部１１Ａの上端部１１Ｄを下端部１１Ｂよりも大きく形成し、側部１１Ａを下端部１１Ｂから上端部１１Ｄに向かい外側に傾斜させると共に、外容器１２の側部１２Ａの上端部１２Ｄを下端部１２Ｂよりも大きく形成し、側部１２Ａを下端部１１Ｂから上端部１１Ｄに向かい外側に傾斜させることが好ましい。外容器１２を乾燥させることにより、外容器１２を内容器１１により強固に固着させることができるからである。なお、側部１１Ａ，１２Ａは、全体にわたり傾斜していてもよく、一部において傾斜していてもよい。また、傾斜角度は一定でも、変化していてもよい。
【００２４】  このように本実施の形態によれば、ガラスよりなる内容器１１の外側に木材よりなる外容器１２を備えるようにしたので、木の外観を得ることができると共に、飲食物に木の香りが移ることを防止することができる。また、木は高い断熱性を有しているので、熱い飲食物を入れても、安全に持つことができると共に、高い保温性も有しているので、熱い飲食物又は冷たい飲食物を熱い状態又は冷たい状態で長時間保持することができる。更に、内側はガラスなので、飲食物等の汚れが付着しても取りやすく、取り扱いが容易で、かつ、プラスチックや金属のように臭いがないので、飲食物に臭いがつかない。加えて、ガラスは見た目も美しく、口触りも良くすることができる。更にまた、内容器１１の外側を外容器１２で覆うので、内容器１２が割れることを防止することができ、安全で安心して使用することができる。
【００２５】  特に、外側容器１２を針葉樹により構成するようにすれば、空隙率が大きいので、断熱性および保温性をより高めることができる。
【００２６】  また、外容器１２を乾燥させることにより内容器１１に固着させるようにすれば、例えば、木の角材を切削して外容器１２を作製する工程中又は工程後に、外容器１２の含水率が低下して安定する前に、外容器１２の中に内容器１１を挿入し、外容器１２と内容器１１を固着させるようにすれば、接着剤等を使用する必要がなく、接着剤等の臭いが飲食物につくことを防止することができる。
【００２７】  更に、側部１１Ａ，１２Ａを下端部１１Ｂ，１２Ｂから上端部１１Ｄ，１２Ｄに向かい外側に傾斜させるようにすれば、乾燥により外容器１２を内容器１１により強固に固着させることができる。
【００２８】  以上、実施の形態を挙げて本発明を説明したが、本発明は上記実施の形態に限定されるものではなく、種々変形可能である。例えば、上記実施の形態では、取っ手のないコップ状のものを図面に示して説明したが、例えば、外容器１２に取っ手を付けてカップ状としてもよい。また、上記実施の形態では、側部１１Ａ，１２Ａを下端部１１Ｂ，１２Ｂから上端部１１Ｄ，１２Ｄに向かい外側に傾斜させる場合について図面に示して説明したが、傾斜させずに底部に対して垂直としてもよい。
【００２９】  更に、上記実施の形態では、側部１１Ａ，１２Ａと底部１１Ｃ，１２Ｃとを有する例えばコップ状の容器１０について説明したが、例えば、図２に示したように、皿状、碗状又はボール状としてもよく、図３に示したように、おひつ状としてもよい。なお、図２及び図３に示した容器１０において、図１に示した容器１０と同一の構成要素には同一の符号を付している。
【００３０】  加えて、図３に示したように、蓋１３を備えていてもよい。蓋１３の材質は何でもよいが、木材により構成するようにすれば、木の外観を得ることができると共に、保温性を高めることができるので好ましい。また、ガラスよりなる内蓋と、木材よりなる外蓋の二層構造としてもよい。
【産業上の利用可能性】
【００３１】  飲食物を入れる容器に適用することができる。
【符号の説明】
【００３２】  １０…容器、１１…内容器、１１Ａ…側部、１１Ｂ…下端部、１１Ｃ…底部、１１Ｄ…上端部、１２…外容器、１２Ａ…側部、１２Ｂ…下端部、１２Ｃ…底部、１２Ｄ…上端部、１３…蓋
【図１】
0003198336.tif 000003
【図２】
0003198336.tif 000004
【図３】
0003198336.tif 000005
【手続補正書】
【提出日】平成26年12月8日(2014.12.8)
【手続補正１】
【補正対象書類名】実用新案登録請求の範囲
【補正対象項目名】全文
【補正方法】変更
【補正の内容】
【実用新案登録請求の範囲】
【請求項１】
ガラスよりなる内容器と、
この内容器の外側を覆うように配設された木材よりなる外容器と
を備えたことを特徴とする容器。
【請求項２】
前記外容器は、針葉樹よりなることを特徴とする請求項１記載の容器。
【請求項３】
前記外容器は、乾燥することにより、内容器に固着して配設されたことを特徴とする請求項１又は請求項２記載の容器。
【請求項４】
前記内容器及び前記外容器は、中空状の側部を有し、この側部の下端部は底部により閉鎖され、上端部は開口されており、前記上端部は前記下端部よりも大きく、前記側部は、前記下端部から前記上端部に向かい外側に傾斜していることを特徴とする請求項３記載の容器。